(57)【要約】      （修正有）【課題】諸収差を良好に補正し画面全域で良好な画質を得、製品の小型化を図り、交換レンズに適した大口径の光学系を提供する。【解決手段】物体側から順に、第１レンズ群Ｇ１と、正屈折力の第２レンズ群Ｇ２とからなり、第１レンズ群Ｇ１は、物体側から順に、第１レンズ群Ｇ１の中で最も長い光軸上の空気間隔を隔てて、負屈折力の第１レンズ群前群Ｇ１Ａと正屈折力の１レンズ群後群Ｇ１Ｂとからなり、第１レンズ群前群Ｇ１Ａの最も像面Ｉ側の面は、像面Ｉ側に凹面を向け、第１レンズ群後群Ｇ１Ｂの最も物体側の面は、物体側に凹面を向け、第１レンズ群後群Ｇ１Ｂの最も像面Ｉ側の面は、像面Ｉ側に凸面を向け、第２レンズ群Ｇ２は、物体側から順に、正屈折力の第２レンズ群前群Ｇ２Ａと正屈折力の第２レンズ群後群Ｇ２Ｂとからなり、無限遠物体から近距離物体へのフォーカシング時に、第２レンズ群Ｇ２を光軸に沿って像面Ｉ側から物体側へ移動すること。【選択図】図１
2015114366.tif 000002
【特許請求の範囲】
【請求項１】
物体側から像面側の順に、第１レンズ群Ｇ１と、正の屈折力を持つ第２レンズ群Ｇ２とからなり、
前記第１レンズ群Ｇ１は、物体側から像面側の順に、前記第１レンズ群Ｇ１の中で最も長い光軸上の空気間隔を隔てて、負の屈折力を持つ第１レンズ群前群Ｇ１Ａと正の屈折力を持つ第１レンズ群後群Ｇ１Ｂとからなり、
前記第１レンズ群前群Ｇ１Ａの最も像面側の光学面は、像面側に凹面を向けており、
前記第１レンズ群後群Ｇ１Ｂの最も物体側の光学面は、物体側に凹面を向けており、
前記第１レンズ群後群Ｇ１Ｂの最も像面側の光学面は、像面側に凸面を向けており、
前記第２レンズ群Ｇ２は、物体側から像面側の順に、正の屈折力を持つ第２レンズ群前群Ｇ２Ａと正の屈折力を持つ第２レンズ群後群Ｇ２Ｂとからなり、
無限遠物体から近距離物体へのフォーカシングに際して、前記第２レンズ群Ｇ２を光軸に沿って像面側から物体側へ移動し、以下に示す条件式（１）乃至（３）を満足することを特徴とする光学系。
（１）      １．５０＜｜Ｒ１ｂｒ／Ｒ１ａｒ｜＜６．００
（２）      ０．３５＜Ｔ／ｆ＜０．５５
（３）      ０．５０＜｜ｆ／Ｒ１ｂｆ｜＜１．５０
ｆ      ：無限遠物体合焦時における光学系全系の焦点距離
Ｒ１ａｒ：前記第１レンズ群前群Ｇ１Ａの最も像面側の光学面の曲率半径
Ｒ１ｂｆ：前記第１レンズ群後群Ｇ１Ｂの最も物体側の光学面の曲率半径
Ｒ１ｂｒ：前記第１レンズ群後群Ｇ１Ｂの最も像面側の光学面の曲率半径
Ｔ      ：前記第１レンズ群後群Ｇ１Ｂの最も物体側の光学面から前記第１レンズ群後群Ｇ１Ｂの最も像側の光学面までの光軸上の距離
【請求項２】
前記第１レンズ群前群Ｇ１Ａは、その最も物体側に、物体側に凸面を向けた正の屈折力を持つレンズを有し、前記第１レンズ群後群Ｇ１Ｂは、その最も像面側に、正の屈折力を持つレンズを有することを特徴とする請求項１に記載の光学系。
【請求項３】
前記第２レンズ群前群Ｇ２Ａと前記第２レンズ群後群Ｇ２Ｂは、前記第２レンズ群Ｇ２の中で最も長い光軸上の空気間隔で隔てられ、以下に示す条件式（４）乃至（５）を満足することを特徴とする請求項１または２に記載の光学系。
（４）      １．８０＜ｎｄ２ｐ
（５）      ０．５０＜｜Ｒ２ｂｆ／Ｒ２ａｒ｜＜１．５０
ｎｄ２ｐ：前記第２レンズ群前群Ｇ２Ａの最も屈折率の高い正の屈折力を持つレンズの屈折率
Ｒ２ａｒ：前記第２レンズ群前群Ｇ２Ａの最も像側の光学面の曲率半径
Ｒ２ｂｆ：前記第２レンズ群後群Ｇ２Ｂの最も物体側の光学面の曲率半径
【請求項４】
以下に示す条件式（６）乃至（８）を満足することを特徴とする請求項１乃至３のいずれかに記載の光学系。
（６）      ０．２０＜｜ｆ／ｆ１ａ｜＜０．５０
（７）      ０．２０＜ｆ／ｆ１ｂ＜０．６０
（８）      ０．２０＜ｆ／ｆ２ａ＜０．６０
（９）      ０．５０＜ｆ／ｆ２ｂ＜１．００
ｆ１ａ：前記第１レンズ群前群Ｇ１Ａの焦点距離
ｆ１ｂ：前記第１レンズ群後群Ｇ１Ｂの焦点距離
ｆ２ａ：前記第２レンズ群前群Ｇ２Ａの焦点距離
ｆ２ｂ：前記第２レンズ群後群Ｇ２Ｂの焦点距離
【発明の詳細な説明】
【技術分野】
【０００１】
本発明はスチルカメラ、ビデオカメラ等の撮像装置に好適な撮影レンズのうち、大口径レンズに用いられる光学系に関し、特に歪曲収差や軸上色収差等の諸収差を強く補正した光学系に関する。
【背景技術】
【０００２】
開放Ｆ値の明るい大口径レンズに於いては、その焦点深度の浅さから球面収差やコマ収差等の諸収差が特に問題になるが、エレメントを絞りに対し前後対称の形に配置した光学系の場合、コマ収差等は前後の構成で互いに打ち消しあう。こうした前後対称のエレメント配置を持つ大口径単焦点光学系として、光学系の最も物体側から順に正、負、負、正の屈折力を持つレンズエレメントを配置した、所謂ダブルガウス型の光学系が提案されている（例えば特許文献１）。
【０００３】
一方、光学系にミラーアップ機構を採用する一眼レフシステムの交換レンズにダブルガウス型の光学系を適用するためには、一定以上のバックフォーカスを確保しておかなくてはならず、特に広角レンズに於いてはしばしば問題となる。そこで、こうした長いバックフォーカスを持つ広角単焦点光学系として、光学系の最も物体側から順に負、正の屈折力を持つエレメントを配置した、所謂レトロフォーカス型の光学系が提案されている（例えば特許文献２）。
【先行技術文献】
【特許文献】
【０００４】
【特許文献１】特許第４９２９９０２号
【特許文献２】特開２０１１−１０７４５０号公報
【発明の概要】
【発明が解決しようとする課題】
【０００５】
ダブルガウス型の光学系は、前述した広角レンズに適用した際のバックフォーカスの問題に加えて、サジタルコマ収差の補正が難しい、Ｃ線とＦ線の色消し条件ではｇ線の軸上色収差が目立ちやすいと言った課題を有する。
【０００６】
一方、レトロフォーカス型の光学系は、屈折力の配置が前後非対称であるため、倍率色収差や歪曲収差が発生し易い。また、大口径比とした場合、物体側に配置した負の屈折力を持つエレメントによりマージナル光線が光軸から離れる方向に屈折するため、像側のエレメントや光学絞りが径方向に大型化し易いという課題を有する。
【０００７】
こうした課題を解決する為、特許文献１に開示されている光学系は、主に光学面の一部を非球面とすることで、ダブルガウス型でありながら球面収差やコマ収差の補正を実現している。しかしながら、非球面によるサジタルコマフレアに対する補正効果が不十分であり、十分な周辺光量の導入と結像性能の両立が難しい。また、非球面を絞り直後の強い曲率を持つ面に設定しているため、偏芯による性能の変化が著しいという課題を有している。
【０００８】
また、特許文献２に開示されている光学系は、最も物体側にある負のレンズの像面側に強い正の屈折力を持つレンズを配置することで、大口径比のレトロフォーカス型でありながらレンズ径の大型化を抑制し、更に硝材を適切に選択することで倍率色収差を抑えているものの、像面湾曲が著しく、軸上色収差も大きいという課題を有している。
【０００９】
本発明によれば、球面収差、軸上色収差、像面湾曲、及びコマ収差等の諸収差を良好に補正し画面全域で良好な画質を得る事が可能で、絞りモータやオートフォーカス機構を省略することなく製品の小型化を図り、マウント径やフランジバック、サイズなどが交換レンズに適した大口径の光学系を提供することができる。
【課題を解決するための手段】
【００１０】
上記課題を解決するための手段である第１の発明は、物体側から像面側の順に、第１レンズ群Ｇ１と、正の屈折力を持つ第２レンズ群Ｇ２とからなり、
前記第１レンズ群Ｇ１は、物体側から像面側の順に、前記第１レンズ群Ｇ１の中で最も長い光軸上の空気間隔を隔てて、負の屈折力を持つ第１レンズ群前群Ｇ１Ａと正の屈折力を持つ第１レンズ群後群Ｇ１Ｂとからなり、
前記第１レンズ群前群Ｇ１Ａの最も像面側の光学面は、像面側に凹面を向けており、
前記第１レンズ群後群Ｇ１Ｂの最も物体側の光学面は、物体側に凹面を向けており、
前記第１レンズ群後群Ｇ１Ｂの最も像面側の光学面は、像面側に凸面を向けており、
前記第２レンズ群Ｇ２は、物体側から像面側の順に、正の屈折力を持つ第２レンズ群前群Ｇ２Ａと正の屈折力を持つ第２レンズ群後群Ｇ２Ｂとからなり、
無限遠物体から近距離物体へのフォーカシングに際して、前記第２レンズ群Ｇ２を光軸に沿って像面側から物体側へ移動し、以下に示す条件式（１）乃至（３）を満足することを特徴とする光学系である。
（１）      １．５０＜｜Ｒ１ｂｒ／Ｒ１ａｒ｜＜６．００
（２）      ０．３５＜Ｔ／ｆ＜０．５５
（３）      ０．５０＜｜ｆ／Ｒ１ｂｆ｜＜１．５０
ｆ      ：無限遠物体合焦時における光学系全系の焦点距離
Ｒ１ａｒ：前記第１レンズ群前群Ｇ１Ａの最も像面側の光学面の曲率半径
Ｒ１ｂｆ：前記第１レンズ群後群Ｇ１Ｂの最も物体側の光学面の曲率半径
Ｒ１ｂｒ：前記第１レンズ群後群Ｇ１Ｂの最も像面側の光学面の曲率半径
Ｔ      ：前記第１レンズ群後群Ｇ１Ｂの最も物体側の光学面から前記第１レンズ群後群Ｇ１Ｂの最も像側の光学面までの光軸上の距離
【００１１】
また、前述の課題を解決するための手段である第２の発明は、第１の発明である光学系であって、前記第１レンズ群前群Ｇ１Ａは、その最も物体側に、物体側に凸面を向けた正の屈折力を持つレンズを有し、前記第１レンズ群後群Ｇ１Ｂは、その最も像面側に、正の屈折力を持つレンズを有することを特徴とする。
【００１２】
また、前述の課題を解決するための手段である第３の発明は、第１の発明または第２の発明である光学系であってさらに、前記第２レンズ群前群Ｇ２Ａと前記第２レンズ群後群Ｇ２Ｂは、前記第２レンズ群Ｇ２の中で最も長い光軸上の空気間隔で隔てられ、以下に示す条件式（４）乃至（５）を満足することを特徴とする。
（４）      １．８０＜ｎｄ２ｐ
（５）      ０．５０＜｜Ｒ２ｂｆ／Ｒ２ａｒ｜＜１．５０
ｎｄ２ｐ：前記第２レンズ群前群Ｇ２Ａの最も屈折率の高い正の屈折力を持つレンズの屈折率
Ｒ２ａｒ：前記第２レンズ群前群Ｇ２Ａの最も像側の光学面の曲率半径
Ｒ２ｂｆ：前記第２レンズ群後群Ｇ２Ｂの最も物体側の光学面の曲率半径
【００１３】
また、前述の課題を解決するための手段である第４の発明は、第１の発明乃至第３の発明のいずれかの発明である光学系であってさらに、以下に示す条件式（６）乃至（８）を満足することを特徴とする。
（６）      ０．２０＜｜ｆ／ｆ１ａ｜＜０．５０
（７）      ０．２０＜ｆ／ｆ１ｂ＜０．６０
（８）      ０．２０＜ｆ／ｆ２ａ＜０．６０
（９）      ０．５０＜ｆ／ｆ２ｂ＜１．００
ｆ    ：無限遠物体合焦時における光学系全系の焦点距離
ｆ１ａ：前記第１レンズ群前群Ｇ１Ａの焦点距離
ｆ１ｂ：前記第１レンズ群後群Ｇ１Ｂの焦点距離
ｆ２ａ：前記第２レンズ群前群Ｇ２Ａの焦点距離
ｆ２ｂ：前記第２レンズ群後群Ｇ２Ｂの焦点距離
【発明の効果】
【００１４】
本発明によれば、球面収差、軸上色収差、像面湾曲、及びコマ収差等の諸収差を良好に補正し画面全域で良好な画質を得る事が可能で、絞りモータやオートフォーカス機構を省略することなく製品の小型化を図り、マウント径やフランジバック、サイズなどが交換レンズに適した大口径の光学系を提供することができる。
【図面の簡単な説明】
【００１５】
【図１】本発明の光学系の実施例１に係る無限遠物体合焦時におけるレンズ構成図
【図２】本実施例１の光学系の無限遠物体合焦時における縦収差図
【図３】本実施例１の光学系の無限遠物体合焦時における横収差図
【図４】本実施例１の光学系の撮影距離４００ｍｍにおける縦収差図
【図５】本実施例１の光学系の撮影距離４００ｍｍにおける横収差図
【図６】本発明の光学系の実施例２に係る無限遠物体合焦時におけるレンズ構成図
【図７】本実施例２の光学系の無限遠物体合焦時における縦収差図
【図８】本実施例２の光学系の無限遠物体合焦時における横収差図
【図９】本実施例２の光学系の撮影距離４００ｍｍにおける縦収差図
【図１０】本実施例２の光学系の撮影距離４００ｍｍにおける横収差図
【図１１】本発明の光学系の実施例３に係る無限遠物体合焦時におけるレンズ構成図
【図１２】本実施例３の光学系の無限遠物体合焦時における縦収差図
【図１３】本実施例３の光学系の無限遠物体合焦時における横収差図
【図１４】本実施例３の光学系の撮影距離４００ｍｍにおける縦収差図
【図１５】本実施例３の光学系の撮影距離４００ｍｍにおける横収差図
【図１６】本発明の光学系の実施例４に係る無限遠物体合焦時におけるレンズ構成図
【図１７】本実施例４の光学系の無限遠物体合焦時における縦収差図
【図１８】本実施例４の光学系の無限遠物体合焦時における横収差図
【図１９】本実施例４の光学系の撮影距離４００ｍｍにおける縦収差図
【図２０】本実施例４の光学系の撮影距離４００ｍｍにおける横収差図
【図２１】本発明の光学系の実施例５に係る無限遠物体合焦時におけるレンズ構成図
【図２２】本実施例５の光学系の無限遠物体合焦時における縦収差図
【図２３】本実施例５の光学系の無限遠物体合焦時における横収差図
【図２４】本実施例５の光学系の撮影距離４００ｍｍにおける縦収差図
【図２５】本実施例５の光学系の撮影距離４００ｍｍにおける横収差図
【図２６】本発明の光学系の実施例６に係る無限遠物体合焦時におけるレンズ構成図
【図２７】本実施例６の光学系の無限遠物体合焦時における縦収差図
【図２８】本実施例６の光学系の無限遠物体合焦時における横収差図
【図２９】本実施例６の光学系の撮影距離４００ｍｍにおける縦収差図
【図３０】本実施例６の光学系の撮影距離４００ｍｍにおける横収差図
【図３１】本発明の光学系の実施例７に係る無限遠物体合焦時におけるレンズ構成図
【図３２】本実施例７の光学系の無限遠物体合焦時における縦収差図
【図３３】本実施例７の光学系の無限遠物体合焦時における横収差図
【図３４】本実施例７の光学系の撮影距離４００ｍｍにおける縦収差図
【図３５】本実施例７の光学系の撮影距離４００ｍｍにおける横収差図
【図３６】本発明の光学系の実施例８に係る無限遠物体合焦時におけるレンズ構成図
【図３７】本実施例８の光学系の無限遠物体合焦時における縦収差図
【図３８】本実施例８の光学系の無限遠物体合焦時における横収差図
【図３９】本実施例８の光学系の撮影距離４００ｍｍにおける縦収差図
【図４０】本実施例８の光学系の撮影距離４００ｍｍにおける横収差図
【発明を実施するための形態】
【００１６】
本発明の光学系は、第１の発明として、図１、図６、図１１、図１６、図２１、図２６及び図３１に示す本発明の実施例の構成図からわかるように、物体側から像面側の順に、第１レンズ群Ｇ１と、正の屈折力を持つ第２レンズ群Ｇ２とからなり、
前記第１レンズ群Ｇ１は、物体側から像面側の順に、前記第１レンズ群Ｇ１の中で最も長い光軸上の空気間隔を隔てて、負の屈折力を持つ第１レンズ群前群Ｇ１Ａと正の屈折力を持つ第１レンズ群後群Ｇ１Ｂとからなり、
前記第１レンズ群Ｇ１は、物体側から像面側の順に、前記第１レンズ群Ｇ１の中で最も長い光軸上の空気間隔を隔てて、負の屈折力を持つ第１レンズ群前群Ｇ１Ａと正の屈折力を持つ第１レンズ群後群Ｇ１Ｂとからなり、
前記第１レンズ群前群Ｇ１Ａの最も像面側の光学面は、像面側に凹面を向けており、
前記第１レンズ群後群Ｇ１Ｂの最も物体側の光学面は、物体側に凹面を向けており、
前記第１レンズ群後群Ｇ１Ｂの最も像面側の光学面は、像面側に凸面を向けており、
前記第２レンズ群Ｇ２は、物体側から像面側の順に、正の屈折力を持つ第２レンズ群前群Ｇ２Ａと正の屈折力を持つ第２レンズ群後群Ｇ２Ｂとからなり、
無限遠物体から近距離物体へのフォーカシングに際して、前記第２レンズ群Ｇ２を光軸に沿って像面側から物体側へ移動し、以下に示す条件式（１）乃至（３）を満足することを特徴とする光学系。
（１）      １．５０＜｜Ｒ１ｂｒ／Ｒ１ａｒ｜＜６．００
（２）      ０．３５＜Ｔ／ｆ＜０．５５
（３）      ０．５０＜｜ｆ／Ｒ１ｂｆ｜＜１．５０
ｆ      ：無限遠物体合焦時における光学系全系の焦点距離
Ｒ１ａｒ：前記第１レンズ群前群Ｇ１Ａの最も像面側の光学面の曲率半径
Ｒ１ｂｆ：前記第１レンズ群後群Ｇ１Ｂの最も物体側の光学面の曲率半径
Ｒ１ｂｒ：前記第１レンズ群後群Ｇ１Ｂの最も像面側の光学面の曲率半径
Ｔ      ：前記第１レンズ群後群Ｇ１Ｂの最も物体側の光学面から前記第１レンズ群後群Ｇ１Ｂの最も像側の光学面までの光軸上の距離
【００１７】
第１の発明である光学系の第１レンズ群Ｇ１は、その最も長い光軸上の空気間隔を隔てて、負の屈折力を持つ第１レンズ群前群Ｇ１Ａと正の屈折力を持つ第１レンズ群後群Ｇ１Ｂとからなる。このような構成を取る事により、第１レンズ群Ｇ１がマージナル光線と光軸との距離を離すワイドコンバージョンレンズとして機能し、画角を広角化しつつバックフォーカスを確保する事が可能になった。
【００１８】
条件式（１）は前記第１レンズ群前群Ｇ１Ａの最も像面側の光学面と前記第１レンズ群後群Ｇ１Ｂの最も像面側の光学面の曲率半径の比を規定するものである。この条件式を満たすことで、双方の面で発生したコマ収差や非点収差を適切に打ち消しあい良好な収差補正となる。
【００１９】
条件式（１）の上限値を超え、第１レンズ群前群Ｇ１Ａの最も像面側の光学面の曲率が強くなると、この面で発生するコマ収差を補正することが困難になる。また、条件式（１）の下限値を超え、第１レンズ群後群Ｇ１Ｂの最も像面側の光学面の曲率が強くなると、この面で発生する非点収差や歪曲収差を補正することが困難になる。
【００２０】
なお、上述した条件式（１）について、その下限値をさらに２．００に、また、上限値をさらに５．５０とすることで、前述の効果をより確実にすることができる。
【００２１】
条件式（２）は第１レンズ群後群Ｇ１Ｂの光軸上の全長を規定するものである。この条件式を満たすことで、第１レンズ群Ｇ１のワンドコンバージョンレンズとしての効果を確保しつつ、光学系の小型化に貢献し、製造誤差敏感度を抑制する事ができる。
【００２２】
条件式（２）の上限値を超え、第１レンズ群後群Ｇ１Ｂの全長が長くなると、光学全長が増大する他、像側のレンズの径が拡大し、偏芯等の製造公差による性能低下が発生し易くなる。また、条件式（２）の下限値を超え、第１レンズ群後群Ｇ１Ｂの全長が短くなると、第２レンズ群Ｇ２に入射するマージナル光線と光軸との距離が十分離す事ができず、バックフォーカスの確保が困難になる。
【００２３】
なお、上述の条件式（２）について、その下限値をさらに０．４０に、また、上限値をさらに０．５０とすることで、前述の効果をより確実にすることができる。
【００２４】
条件式（３）は前記第１レンズ群後群Ｇ１Ｂの最も物体側の光学面の曲率半径を規定するものである。この条件式を満たすことで、第１レンズ群Ｇ１内で歪曲収差等の諸収差を適切に補正する効果が得られる。
【００２５】
条件式（３）の上限値を超え、第１レンズ群後群Ｇ１Ｂの最も物体側の光学面の曲率が強くなると、負の歪曲収差を補正する事が困難になる他、偏芯等の製造公差による性能低下が発生し易くなる。また、条件式（３）の下限値を超え、第１レンズ群後群Ｇ１Ｂの最も物体側の光学面の曲率が弱くなると、正の歪曲収差や非点収差を補正する事が困難になる。
【００２６】
なお、上述の条件式（３）について、その下限値をさらに０．５５に、また、上限値をさらに１．２０とすることで、前述の効果をより確実にすることができる。
【００２７】
また第２の発明である光学系は、第１の発明であって、さらに前記第１レンズ群前群Ｇ１Ａは、その最も物体側に、物体側に凸面を向けた正の屈折力を持つレンズを有し、前記第１レンズ群後群Ｇ１Ｂは、その最も像面側に、正の屈折力を持つレンズを有することを特徴とする。
【００２８】
第２の発明である光学系の第１レンズ群前群Ｇ１Ａは、その最も物体側に、物体側に凸面を向けた正の屈折力を持つレンズを有し、前記第１レンズ群後群Ｇ１Ｂは、その最も像面側に、正の屈折力を持つレンズを有する。このような構成を取る事により、第１レンズ群Ｇ１がレンズの径方向のサイズを抑制しながらワンドコンバージョンレンズとしての効果を確保しつつ、群内で歪曲収差を補正でき、全合焦域で歪曲収差を抑える事が可能となる。
【００２９】
また第３の発明である光学系は、第１の発明または第２の発明であって、さらに前記第２レンズ群前群Ｇ２Ａと前記第２レンズ群後群Ｇ２Ｂは、前記第２レンズ群Ｇ２の中で最も長い光軸上の空気間隔で隔てられ、以下に示す条件式（４）乃至（５）を満足することを特徴とする。
（４）      １．８０＜ｎｄ２ｐ
（５）      ０．５０＜｜Ｒ２ｂｆ／Ｒ２ａｒ｜＜１．５０
ｎｄ２ｐ：前記第２レンズ群前群Ｇ２Ａの最も屈折率の高い正の屈折力を持つレンズの屈折率
Ｒ２ａｒ：前記第２レンズ群前群Ｇ２Ａの最も像側の光学面の曲率半径
Ｒ２ｂｆ：前記第２レンズ群後群Ｇ２Ｂの最も物体側の光学面の曲率半径
【００３０】
第３の発明である光学系の第２レンズ群前群Ｇ２ａと第２レンズ群後群Ｇ２ｂは、第２レンズ群Ｇ２の中で最も長い光軸上の空気間隔で隔てられる。このような構成を取る事で、第２レンズ群前群Ｇ２ａと第２レンズ群後群Ｇ２ｂの間に光学絞りやフィルタ等を挿入するスペースを確保する事が可能となる。
【００３１】
条件式（４）は第２レンズ群前群Ｇ２Ａを構成する正の屈折力を持つレンズの内で、最も屈折率が高いレンズの屈折率を規定するものである。この条件式を満たすことで、第２レンズ群Ｇ２の中の、他の正の屈折力を持つレンズに、軸上色収差の補正上有利な特殊低分散ガラス等の屈折率の低い材料を採用しても、非点収差や像面湾曲を抑制する事が可能となる。
【００３２】
条件式（４）の下限値を超え、第２レンズ群前群Ｇ２Ａを構成する正の屈折力を持つレンズの最大の屈折率が低くなると、非点収差や像面湾曲の補正と軸上色収差の補正を両立させることが困難になる。
【００３３】
なお、条件式（４）について、その下限値をさらに１．８５とすることで、前述の効果をより確実にすることができる。
【００３４】
条件式（５）は第２レンズ群前群Ｇ２Ａの最も像面側の光学面と第２レンズ群後群Ｇ２Ｂの最も物体側の光学面の曲率半径の比を規定するものである。この条件式を満たすことで、双方の面で発生したコマ収差や歪曲収差を適切に打ち消しあい良好な収差補正となる。
【００３５】
条件式（５）の上限値を超え、第２レンズ群後群Ｇ２Ｂの最も物体側の光学面の曲率に対する第２レンズ群前群Ｇ２Ａの最も像面側の光学面の曲率が強くなると、この面で発生する高次のコマ収差や歪曲収差を補正することが困難になる。また、条件式（５）の下限値を超え、第２レンズ群前群Ｇ２Ａの最も像面側の光学面の曲率に対する第２レンズ群後群Ｇ２Ｂの最も物体側の光学面の曲率が強くなると、この面で発生するコマ収差を補正することが困難になる。
【００３６】
なお、条件式（５）について、その下限値をさらに０．７０に、また、上限値をさらに１．２０とすることで、前述の効果をより確実にすることができる。
【００３７】
また第４の発明である光学系は、第１の発明乃至第３の発明のいずれかであって、さらに以下に示す条件式（６）乃至（８）を満足することを特徴とする。
（６）      ０．２０＜｜ｆ／ｆ１ａ｜＜０．５０
（７）      ０．２０＜ｆ／ｆ１ｂ＜０．６０
（８）      ０．２０＜ｆ／ｆ２ａ＜０．６０
（９）      ０．５０＜ｆ／ｆ２ｂ＜１．００
ｆ    ：無限遠物体合焦時における光学系全系の焦点距離
ｆ１ａ：前記第１レンズ群前群Ｇ１Ａの焦点距離
ｆ１ｂ：前記第１レンズ群後群Ｇ１Ｂの焦点距離
ｆ２ａ：前記第２レンズ群前群Ｇ２Ａの焦点距離
ｆ２ｂ：前記第２レンズ群後群Ｇ２Ｂの焦点距離
【００３８】
条件式（６）は第１レンズ群前群Ｇ１Ａの焦点距離を規定するものである。この条件式を満たすことで、第１レンズ群Ｇ１のワンドコンバージョンレンズとしての効果を確保しつつ、光学系のサイズを抑え、歪曲収差等の諸収差を補正する事ができる。
【００３９】
条件式（６）の上限値を超え、第１レンズ群前群Ｇ１Ａの負の屈折力が強くなると、第１レンズ群後群Ｇ１Ｂの径が拡大し製品の径が拡大する他、コマ収差や歪曲収差を補正することが困難になる。また、条件式（６）の下限値を超え、第１レンズ群前群Ｇ１Ａの負の屈折力が弱くなると、バックフォーカスを確保する事が困難になる他、物体側のレンズの径が拡大し易くなる。
【００４０】
なお、条件式（６）について、その下限値をさらに０．２５に、また、上限値をさらに０．４５とすることで、前述の効果をより確実にすることができる。
【００４１】
条件式（７）は第１レンズ群後群Ｇ１Ｂの焦点距離を規定するものである。この条件式を満たすことで、光学系のサイズを抑えつつ、コマ収差等の諸収差、製造誤差敏感度を改善する事ができる。
【００４２】
条件式（７）の上限値を超え、第１レンズ群後群Ｇ１Ｂの正の屈折力が強くなると、偏芯等の製造公差による性能低下が発生し易くなる他、コマ収差や非点収差を補正することが困難になる。また、条件式（７）の下限値を超え、第１レンズ群後群Ｇ１Ｂの正の屈折力が弱くなると、第２レンズ群Ｇ２の径が拡大し製品の径も拡大する他、第２レンズ群前群Ｇ２Ａの正のパワーの負担が増え、収差を補正する上で好ましくない。
【００４３】
なお、条件式（７）について、その下限値をさらに０．２２に、また、上限値をさらに０．５５とすることで、前述の効果をより確実にすることができる。
【００４４】
条件式（８）は第２レンズ群前群Ｇ２Ａの焦点距離を規定するものである。この条件式を満たすことで、光学系のサイズを抑えつつ、軸上色収差と非点収差をバランスよく改善する事ができる。
【００４５】
条件式（８）の上限値を超え、第１レンズ群前群Ｇ２Ａの正の屈折力が強くなると、軸上色収差を抑制しつつ球面収差や非点収差を補正することが困難になる。また、条件式（８）の下限値を超え、第２レンズ群前群Ｇ２Ａの正の屈折力が弱くなると、第２レンズ群後群Ｇ２Ｂと歪曲収差補正等のバランスを取る事が困難になる他、第２レンズ群前群Ｇ２Ａと第２レンズ群後群Ｇ２Ｂの間に光学絞りを配置する場合、光学絞りの径が拡大する。
【００４６】
なお、条件式（８）について、その下限値をさらに０．２５に、また、上限値をさらに０．５５とすることで、前述の効果をより確実にすることができる。
【００４７】
条件式（９）は第２レンズ群後群Ｇ２Ｂの焦点距離を規定するものである。この条件式を満たすことで、光学系のサイズを抑えつつ、軸上色収差と非点収差をバランスよく改善する事ができる。
【００４８】
条件式（９）の上限値を超え、第２レンズ群後群Ｇ２Ｂの正の屈折力が強くなると、軸上色収差を抑制しつつコマ収差や非点収差を補正することが困難になる。また、条件式（９）の下限値を超え、第２レンズ群後群Ｇ２Ｂの正の屈折力が弱くなると、第２レンズ群Ｇ２の径が拡大し製品の径が拡大する他、第２レンズ群前群Ｇ２Ａの正の屈折力の負担が増え、収差補正上好ましくない。
【００４９】
なお、条件式（９）について、その下限値をさらに０．６０に、また、上限値をさらに０．８０とすることで、前述の効果をより確実にすることができる。
【００５０】
以下に前述した本発明の光学系に係る実施例１乃至８の数値データを示す。
【００５１】
［面データ］において、面番号は物体側から数えたレンズ面又は開口絞りの番号、ｒは各面の曲率半径、ｄは各面の間隔、ｎｄはｄ線（波長λ=５８７．６ｎｍ）に対する屈折率、νｄはｄ線（波長λ=５８７．６ｎｍ）に対するアッベ数を示している。
【００５２】
面番号に付した＊（アスタリスク）は、そのレンズ面形状が非球面であることを示している。また、ＢＦはバックフォーカスを表している。
【００５３】
面番号に付した（絞り）は、その位置に開口絞りＳが位置していることを示している。平面又は開口絞りＳに対する曲率半径には∞（無限大）を記入している。（フレアカット絞り）はフレアカット絞り面を示している。
【００５４】
［非球面データ］には、［面データ］において＊を付したレンズ面の非球面形状を与える各係数値を示している。非球面の形状は、非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０次の非球面係数をそれぞれＡ４、Ａ６、Ａ８、Ａ１０と置くとき、非球面の座標が以下の式で表されるものとする。
2015114366.tif 000003
【００５５】
［各種データ］には、各焦点距離状態における焦点距離等の値を示している。
【００５６】
［可変間隔データ］には、各レンズ群を構成する最も物体側の面番号及び群全体の合成焦点距離を示している。
【００５７】
なお、以下の全ての諸元の値において、記載している焦点距離ｆ、曲率半径ｒ、レンズ面間隔ｄ、その他の長さの他には特記のない限りミリメートル（ｍｍ）を使用するが、光学系では比例拡大と比例縮小とにおいても同等の光学性能が得られるので、これに限られるものではない。
【００５８】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【００５９】
さらに、図１、図６、図１１、図１６、図２１、図２６、図３１及び図３６に示すレンズ構成図において、Ｉは像面、中心を通る一点鎖線は光軸である。
【００６０】
次に、本発明の光学系に係る実施例のレンズ構成について説明する。なお、以下の説明ではレンズ構成を物体側から像面側の順番で記載する。
【実施例１】
【００６１】
図１は、本発明の実施例１の光学系の無限遠合焦時におけるレンズ構成図である。
【００６２】
図１の光学系は、物体側から像面側の順に、全体として正の屈折力を持つ第１レンズ群Ｇ１と、全体として正の屈折力を持つ第２レンズ群Ｇ２とから構成される。
【００６３】
第１レンズ群Ｇ１は、第１レンズ群前群Ｇ１Ａと第１レンズ群後群Ｇ１Ｂとから成る。また、第１レンズ群Ｇ１は、無限遠物体から近距離物体へのフォーカシングに際して像面に対する位置が固定である。
【００６４】
第１レンズ群前群Ｇ１Ａは、物体側に凸面を向けた正メニスカスレンズ及び物体側に凸面を向けた負メニスカスレンズから構成され、全体として負の屈折力を持つ。
【００６５】
第１レンズ群後群Ｇ１Ｂは、物体側に凹面を向けた正メニスカスレンズと両凹レンズと両凸レンズとから成る正の屈折力を持つ３枚接合レンズで構成される。また、第１レンズ群後群Ｇ１Ｂの像面側にフレアカット絞りを設ける。
【００６６】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、互いに独立して物体側へ移動する。
【００６７】
第２レンズ群前群Ｇ２Ａは、物体側に凸面を向けた正メニスカスレンズ、及び両凸レンズと両凹レンズとから成る負の屈折力を持つ接合レンズで構成され、全体として正の屈折力を持つ。
【００６８】
開口絞りＳは、第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【００６９】
第２レンズ群後群Ｇ２Ｂは、両凹レンズと両凸レンズから成る負の屈折力を持つ接合レンズ、両凸レンズと両凹レンズから成る正の屈折力を持つ接合レンズ、及び物体側像面側両面に非球面を形成した両凸レンズから構成され、全体として正の屈折力を持つ。
【００７０】
続いて、以下に実施例１に係る光学系の諸元値を示す。
数値実施例1
単位：mm
[面データ]
面番号                 r            d           nd            vd
物面                   ∞         (d0)
1               59.9687       7.5464      1.91082        35.25
2              178.4018       0.6242
3              192.0154       2.0000      1.62588        35.74
4               28.7552      16.1562
5              -67.9622      10.7338      1.49700        81.61
6              -26.2761       1.5000      1.54814        45.82
7               43.9346      10.7524      1.88300        40.81
8              -94.4447       0.0000
9(フレアカット絞り)        ∞         (d9)
10               49.8944       3.9121      1.92286        20.88
11              108.4891       0.1500
12               47.6761       8.0538      1.72916        54.67
13              -69.2432       0.9500      1.72825        28.32
14               31.4317        (d14)
15(絞り)                 ∞       4.6436
16              -31.6556       0.9500      1.62588        35.74
17               71.6171       4.6610      1.59282        68.62
18              -96.5972       0.1500
19               85.5221       6.6571      1.59282        68.62
20              -40.3262       0.9500      1.51742        52.15
21               57.5543       0.9291
22*              77.4702       5.8822      1.77250        49.47
23*             -47.5092         (BF)
像面                   ∞
[非球面データ]
22面         23面
K            0.00000        0.00000
A4       -9.93095E-07    3.17495E-06
A6        1.24366E-09   -1.01711E-10
A8       -7.51084E-13    2.00250E-12
A10       0.00000E+00   -1.26705E-15
[各種データ]
INF         400mm
焦点距離          49.58        48.35
Fナンバー          1.46         1.67
全画角2ω         47.19        43.47
像高Y           21.63        21.63
レンズ全長        142.00       142.00
[可変間隔データ]
INF         400mm
d0                ∞     258.0000
d9            9.9796       1.2000
d14           6.0186       5.8989
BF           38.7999      47.6991
[レンズ群データ]
群          始面         焦点距離
G1            1            282.98
G1A           1           -153.20
G1B           5            114.66
G2A          10            173.27
G2B          15             65.28
【実施例２】
【００７１】
図６は、本発明の実施例２の光学系の無限遠合焦時におけるレンズ構成図である。
【００７２】
図６の光学系は、物体側から像面側の順に、全体として正の屈折力を持つ第１レンズ群Ｇ１と、全体として正の屈折力を持つ第２レンズ群Ｇ２とから構成される。
【００７３】
第１レンズ群Ｇ１は、第１レンズ群前群Ｇ１Ａと第１レンズ群後群Ｇ１Ｂとから成る。また、第１レンズ群Ｇ１は、無限遠物体から近距離物体へのフォーカシングに際して像面に対する位置が固定である。
【００７４】
第１レンズ群前群Ｇ１Ａは、物体側に凸面を向けた正メニスカスレンズ及び物体側に凸面を向けた負メニスカスレンズから構成され、全体として負の屈折力を持つ。
【００７５】
第１レンズ群後群Ｇ１Ｂは、物体側に凹面を向けた正メニスカスレンズと両凹レンズと両凸レンズとから成る正の屈折力を持つ３枚接合レンズで構成される。また、第１レンズ群後群Ｇ１Ｂの像面側にフレアカット絞りを設ける。
【００７６】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、互いに独立して物体側へ移動する。
【００７７】
第２レンズ群前群Ｇ２Ａは、物体側に凸面を向けた正メニスカスレンズ、及び両凸レンズと両凹レンズとから成る負の屈折力を持つ接合レンズで構成され、全体として正の屈折力を持つ。
【００７８】
開口絞りＳは、第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【００７９】
第２レンズ群後群Ｇ２Ｂは、両凹レンズと両凸レンズから成る負の屈折力を持つ接合レンズ、物体側に凹面を向けた正メニスカスレンズと像面側に凸面を向けた負メニスカスレンズから成る正の屈折力を持つ接合レンズ、及び物体側像面側両面に非球面を形成した両凸レンズから構成され、全体として正の屈折力を持つ。
【００８０】
続いて、以下に実施例２に係る光学系の諸元値を示す。
数値実施例2
単位：mm
[面データ]
面番号                r             d           nd           vd
物面                   ∞         (d0)
1               67.5814       5.3292      1.95375        32.32
2              130.0875       0.4000
3               94.5475       2.0000      1.58144        40.89
4               27.9000      18.2013
5              -59.3951      10.9270      1.55332        71.68
6              -25.1731       1.4000      1.60342        38.01
7               44.6540      10.8848      1.88300        40.81
8              -85.7707       0.0000
9(フレアカット絞り)        ∞         (d9)
10               52.6706       4.6589      1.92286        20.88
11              216.9523       0.1500
12               47.4352       8.1142      1.72916        54.67
13              -94.6784       0.9500      1.72825        28.32
14               31.2801        (d14)
15(絞り)                 ∞       5.5017
16              -31.0428       0.9000      1.64769        33.84
17               49.6877       5.6695      1.59282        68.62
18              -84.4975       0.1500
19             -549.5685       4.9878      1.59282        68.62
20              -36.1297       0.9000      1.51742        52.15
21             -386.2514       0.3595
22*             180.2764       6.2315      1.77250        49.47
23*             -44.1428         (BF)
像面                   ∞
[非球面データ]
22面             23面
K            0.00000         0.00000
A4       -1.99497E-06     2.23091E-06
A6        8.32607E-10    -6.25203E-10
A8       -5.11430E-12    -1.61803E-12
A10       3.33468E-15     0.00000E+00
[各種データ]
INF         400mm
焦点距離          47.24        46.37
Fナンバー          1.46         1.69
全画角2ω         49.17        45.50
像高Y           21.63        21.63
レンズ全長        142.00       142.00
[可変間隔データ]
INF         400mm
d0                ∞     258.0000
d9            8.4672       1.2000
d14           7.0173       5.8935
BF           38.8001      47.1911
[レンズ群データ]
群          始面          焦点距離
G1            1            640.64
G1A           1           -149.73
G1B           5            150.39
G2A          10            107.16
G2B          15             71.85
【実施例３】
【００８１】
図１１は、本発明の実施例３の光学系の無限遠合焦時におけるレンズ構成図である。
【００８２】
図１１の光学系は、物体側から像面側の順に、全体として正の屈折力を持つ第１レンズ群Ｇ１と、全体として正の屈折力を持つ第２レンズ群Ｇ２とから構成される。
【００８３】
第１レンズ群Ｇ１は、第１レンズ群前群Ｇ１Ａと第１レンズ群後群Ｇ１Ｂとから成る。また、第１レンズ群Ｇ１は、無限遠物体から近距離物体へのフォーカシングに際して像面に対する位置が固定である。
【００８４】
第１レンズ群前群Ｇ１Ａは、物体側に凸面を向けた正メニスカスレンズ及び物体側に凸面を向けた負メニスカスレンズから構成され、全体として負の屈折力を持つ。
【００８５】
第１レンズ群後群Ｇ１Ｂは、物体側に凹面を向けた正メニスカスレンズと両凹レンズと両凸レンズから成る正の屈折力を持つ３枚接合レンズで構成される。また、第１レンズ群後群Ｇ１Ｂの像面側にフレアカット絞りを設ける。
【００８６】
第２レンズ群Ｇ２は、第２レンズ群前群Ｇ２Ａと第２レンズ群後群Ｇ２Ｂとから成り、全体として正の屈折力を持つ。また、第２レンズ群Ｇ２は、無限遠物体から近距離物体へのフォーカシングに際して、一体として物体側へ移動する。
【００８７】
第２レンズ群前群Ｇ２Ａは、物体側に凸面を向けた正メニスカスレンズ、及び両凸レンズと両凹レンズとから成る負の屈折力を持つ接合レンズから構成され、全体として正の屈折力を持つ。
【００８８】
開口絞りＳは、第２レンズ群前群Ｇ２Ａと第２レンズ群後群Ｇ２Ｂとの間に配置され、無限遠物体から近距離物体へのフォーカシングに際して、第２レンズ群Ｇ２と同じ軌跡で物体側へ移動する。
【００８９】
第２レンズ群後群Ｇ２Ｂは、両凹レンズと両凸レンズから成る負の屈折力を持つ接合レンズ、物体側に凹面を向けた正メニスカスレンズと両凹レンズから成る負の屈折力を持つ接合レンズ、及び物体側像面側両面に非球面を形成した両凸レンズから構成され、全体として正の屈折力を持つ。
【００９０】
続いて、以下に実施例３に係る光学系の諸元値を示す。
数値実施例3
単位：mm
[面データ]
面番号                r            d           nd             vd
物面                   ∞         (d0)
1               69.3268       5.7689      1.91082        35.25
2              150.8995       0.4000
3              111.8401       2.0000      1.51742        52.15
4               27.5900      19.1543
5              -56.3775      10.7794      1.49700        81.61
6              -25.5196       1.4000      1.58144        40.89
7               47.7869      10.9813      1.88300        40.81
8              -72.9205       0.0000
9(フレアカット絞り)        ∞         (d9)
10               52.0348       4.7594      2.00100        29.13
11              353.4283       0.1500
12               67.3442       7.6358      1.59282        68.62
13              -56.4856       0.9500      1.72825        28.32
14               35.4963       5.4034
15(絞り)                 ∞       5.5130
16              -31.4067       0.9000      1.58144        40.89
17               93.2099       4.9486      1.59282        68.62
18              -67.8887       0.1500
19             -212.6632       4.4855      1.59282        68.62
20              -37.9803       0.9000      1.51742        52.15
21              424.1691       0.7700
22*             143.2209       7.0329      1.77250        49.47
23*             -42.7183         (BF)
像面                   ∞
[非球面データ]
22面             23面
K            0.00000             0.00000
A4       -2.15210E-06         2.13955E-06
A6        1.16820E-09        -7.09088E-10
A8       -3.35193E-12         7.15990E-13
A10       3.62418E-15         0.00000E+00
[各種データ]
INF         400mm
焦点距離          46.93        45.97
Fナンバー          1.46         1.69
全画角2ω         49.57        46.01
像高Y           21.63        21.63
レンズ全長        142.00       142.00
[可変間隔データ]
INF         400mm
d0                ∞     258.0000
d9            9.1175       1.2000
BF           38.7998      46.7173
[レンズ群データ]
群          始面          焦点距離
G1            1            283.39
G1A           1           -169.69
G1B           5            127.43
G2A          10            163.95
G2B          15             64.95
【実施例４】
【００９１】
図１６は、本発明の実施例４の光学系の無限遠合焦時におけるレンズ構成図である。
【００９２】
図１６の光学系は、物体側から像面側の順に、全体として正の屈折力を持つ第１レンズ群Ｇ１と、全体として正の屈折力を持つ第２レンズ群Ｇ２とから構成される。
【００９３】
第１レンズ群Ｇ１は、第１レンズ群前群Ｇ１Ａと第１レンズ群後群Ｇ１Ｂとから成る。また、第１レンズ群Ｇ１は、無限遠物体から近距離物体へのフォーカシングに際して像面に対する位置が固定である。
【００９４】
第１レンズ群前群Ｇ１Ａは、物体側に凸面を向けた正メニスカスレンズ及び両凹レンズから構成され、全体として負の屈折力を持つ。
【００９５】
第１レンズ群後群Ｇ１Ｂは、両凹レンズと両凸レンズから構成され、全体として正の屈折力を持つ。
【００９６】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、互いに独立して物体側へ移動する。
【００９７】
第２レンズ群前群Ｇ２Ａは、両凸レンズ、及び両凸レンズ及び両凹レンズから成る負の屈折力を持つ接合レンズで構成され、全体として正の屈折力を持つ。
【００９８】
開口絞りＳは、第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【００９９】
第２レンズ群後群Ｇ２Ｂは、両凹レンズと両凸レンズから成る負の屈折力を持つ接合レンズ、両凸レンズと両凹レンズから成る負の屈折力を持つ接合レンズ、及び物体側像面側両面に非球面を形成した両凸レンズから構成され、全体として正の屈折力を持つ。
【０１００】
続いて、以下に実施例４に係る光学系の諸元値を示す。
数値実施例4
単位：mm
[面データ]
面番号             r            d           nd           vd
物面               ∞         (d0)
1           60.7903       8.8428      2.00100        29.13
2          300.3415       1.9380
3        -2651.9755       2.0000      1.64769        33.84
4           29.0684      13.3974
5          -81.9097       1.5000      1.62588        35.74
6           88.6016       9.0900
7           73.2400       9.0246      1.80420        46.50
8          -83.4926         (d8)
9           47.5968       6.3990      1.95375        32.32
10         -516.1485       0.1981
11          754.2127       4.5821      1.49700        81.61
12          -64.2559       1.9846      1.80518        25.46
13           52.7297        (d13)
14(絞り)             ∞       4.6336
15          -46.9274       1.0000      1.58144        40.89
16           62.9033       4.2357      1.59282        68.62
17         -229.6247       0.1500
18          986.1933       6.8302      1.59282        68.62
19          -26.7075       1.0000      1.51742        52.15
20           92.4851       0.5450
21*          77.1764       7.7735      1.77250        49.47
22*         -52.7466         (BF)
像面               ∞
[非球面データ]
21面           22面
K            0.00000         0.00000
A4       -1.05814E-06     4.04323E-06
A6       -3.34540E-09    -5.46959E-09
A8        2.15521E-11     2.71991E-11
A10       0.00000E+00    -2.00988E-15
[各種データ]
INF         398mm
焦点距離          48.50        47.65
Fナンバー          1.46         1.67
全画角2ω         48.25        44.39
像高Y           21.63        21.63
レンズ全長        140.13       140.13
[可変間隔データ]
INF         398mm
d0                ∞     258.0000
d8           10.5828       1.2000
d13           5.6275       6.7324
BF           38.7999      47.0779
[レンズ群データ]
群          始面          焦点距離
G1            1            272.31
G1A           1           -152.19
G1B           5            112.68
G2A           9            185.34
G2B          14             66.52
【実施例５】
【０１０１】
図２１は、本発明の実施例５の光学系の無限遠合焦時におけるレンズ構成図である。
【０１０２】
図２１の光学系は、物体側から像面側の順に、全体として正の屈折力を持つ第１レンズと、全体として正の屈折力を持つ第２レンズ群Ｇ２とから構成される。
【０１０３】
第１レンズ群Ｇ１は、第１レンズ群前群Ｇ１Ａと第１レンズ群後群Ｇ１Ｂとから成る。また、第１レンズ群Ｇ１は、無限遠物体から近距離物体へのフォーカシングに際して像面に対する位置が固定である。
【０１０４】
第１レンズ群前群Ｇ１Ａは、物体側に凸面を向けた正メニスカスレンズ及び両凹レンズから構成され、全体として負の屈折力を持つ。
【０１０５】
第１レンズ群後群Ｇ１Ｂは、両凹レンズと両凸レンズから構成され、全体として正の屈折力を持つ。
【０１０６】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、互いに独立して物体側へ移動する。
【０１０７】
第２レンズ群前群Ｇ２Ａは、両凸レンズ、及び両凸レンズと両凹レンズから成る負の屈折力を持つ接合レンズで構成され、全体として正の屈折力を持つ。
【０１０８】
開口絞りＳは、第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【０１０９】
第２レンズ群後群Ｇ２Ｂは、両凹レンズと両凸レンズから成る負の屈折力を持つ接合レンズ、両凸レンズと両凹レンズから成る正の屈折力を持つ接合レンズ、及び物体側像面側両面に非球面を形成した両凸レンズから構成され、全体として正の屈折力を持つ。
【０１１０】
続いて、以下に実施例５に係る光学系の諸元値を示す。
数値実施例5
単位：mm
[面データ]
面番号             r            d           nd           vd
物面               ∞         (d0)
1           59.1787       9.1320      1.95375        32.32
2          311.5111       1.9221
3        -2148.9683       2.0000      1.64769        33.84
4           29.0524      13.3413
5          -83.6747       1.6130      1.62588        35.74
6           89.4776       9.1265
7           72.6692       9.0316      1.80420        46.50
8          -84.0466         (d8)
9           46.6909       6.4070      2.00100        29.13
10         -669.2278       0.2934
11          773.5381       4.5435      1.49700        81.61
12          -65.5618       1.0000      1.80518        25.46
13           48.9240        (d13)
14(絞り)             ∞       4.5718
15          -47.4197       1.0000      1.60342        38.01
16           43.9470       4.6019      1.59282        68.62
17        -5000.0000       0.1500
18          193.3916       7.4101      1.59282        68.62
19          -26.2375       1.0000      1.51742        52.15
20          177.2481       0.2905
21*         100.8101       7.0602      1.77250        49.47
22*         -52.7466         (BF)
像面               ∞
[非球面データ]
21面              22面
K            0.00000           0.00000
A4       -1.17521E-06       3.97830E-06
A6       -3.24487E-09      -5.63388E-09
A8        2.35948E-11       3.06394E-11
A10       0.00000E+00      -4.71092E-15
[各種データ]
INF         398mm
焦点距離          48.50        47.67
Fナンバー          1.46         1.67
全画角2ω         48.30        44.40
像高Y           21.63        21.63
レンズ全長        139.83       139.83
[可変間隔データ]
INF         398mm
d0                ∞     258.0000
d8           10.7108       1.2000
d13           5.8214       7.0974
BF           38.7999      47.0347
[レンズ群データ]
群          始面          焦点距離
G1            1            262.98
G1A           1           -149.73
G1B           5            110.03
G2A           9            180.40
G2B          14             67.11
【実施例６】
【０１１１】
図２６は、本発明の実施例６の光学系の無限遠合焦時におけるレンズ構成図である。
【０１１２】
図２６の光学系は、物体側から像面側の順に、全体として正の屈折力を持つ第１レンズ群Ｇ１と、全体として正の屈折力を持つ第２レンズ群Ｇ２とから構成される。
【０１１３】
第１レンズ群Ｇ１は、第１レンズ群前群Ｇ１Ａと第１レンズ群後群Ｇ１Ｂとから成る。また、第１レンズ群Ｇ１は、無限遠物体から近距離物体へのフォーカシングに際して像面に対する位置が固定である。
【０１１４】
第１レンズ群前群Ｇ１Ａは、物体側に凸面を向けた正メニスカスレンズ及び物体側に凸面を向けた負メニスカスレンズから構成され、全体として負の屈折力を持つ。
【０１１５】
第１レンズ群後群Ｇ１Ｂは、物体側に凹面を向けた負メニスカスレンズ、物体側に凹面を向けた正メニスカスレンズ、及び両凸レンズから構成され、全体として正の屈折力を持つ。
【０１１６】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、互いに独立して物体側へ移動する。
【０１１７】
第２レンズ群前群Ｇ２Ａは、両凸レンズ、及び両凸レンズと両凹レンズから成る負の屈折力を持つ接合レンズから構成され、全体として正の屈折力を持つ。
【０１１８】
開口絞りＳは、第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【０１１９】
第２レンズ群後群Ｇ２Ｂは、両凹レンズと両凸レンズから成る負の屈折力を持つ接合レンズ、両凸レンズと像面側に凸面を向けた負メニスカスレンズから成る正の屈折力を持つ接合レンズ、及び物体側像面側両面に非球面を形成した両凸レンズから構成され、全体として正の屈折力を持つ。
【０１２０】
続いて、以下に実施例６に係る光学系の諸元値を示す。
数値実施例6
単位：mm
[面データ]
面番号             r            d           nd           vd
物面               ∞         (d0)
1           60.8145       9.7817      2.00100        29.13
2          961.2391       0.4514
3         1040.2761       2.0000      1.70154        41.15
4           28.6634      15.9911
5          -40.7492       1.5000      1.84666        23.78
6         -565.0365       3.8873
7          -61.9388       5.5803      1.88100        40.14
8          -40.5080       0.1500
9           52.2341       9.0758      1.59282        68.62
10         -149.8277        (d10)
11           52.0046       5.7073      2.00100        29.13
12        -3629.6800       0.1500
13          269.7091       4.8326      1.49700        81.61
14          -69.2869       1.0000      1.64769        33.84
15           43.0996        (d15)
16(絞り)             ∞       5.2887
17          -35.8562       1.0000      1.58144        40.89
18           54.8872       3.9938      1.59282        68.62
19        -1000.0000       0.1500
20         1000.0000       6.8905      1.59282        68.62
21          -25.3861       1.0000      1.58144        40.89
22         -349.2909       0.1500
23*         168.8265       7.4914      1.77250        49.47
24*         -42.9103         (BF)
像面               ∞
[非球面データ]
23面            24面
K            0.00000            0.00000
A4       -1.01132E-06        4.20558E-06
A6       -5.37917E-09       -6.54219E-09
A8        2.98408E-11        3.12080E-11
A10       0.00000E+00       -6.26392E-16
[各種データ]
INF         399mm
焦点距離          48.50        47.22
Fナンバー          1.46         1.67
全画角2ω         47.62        44.39
像高Y           21.63        21.63
レンズ全長        141.29       141.29
[可変間隔データ]
INF         399mm
d0                ∞     258.0000
d10          10.2359       1.2000
d15           6.1802       6.8588
BF           38.8002      47.1575
[レンズ群データ]
群          始面          焦点距離
G1            1            202.73
G1A           1           -173.82
G1B           5            106.30
G2A          11            156.41
G2B          16             73.42
【実施例７】
【０１２１】
図３１は、本発明の実施例７の光学系の無限遠合焦時におけるレンズ構成図である。
【０１２２】
図３１の光学系は、物体側から像面側の順に、全体として正の屈折力を持つ第１レンズ群Ｇ１と、全体として正の屈折力を持つ第２のレンズ群Ｇ２とから構成される。
【０１２３】
第１レンズ群Ｇ１は、第１レンズ群前群Ｇ１Ａと第１レンズ群後群Ｇ１Ｂとから成る。また、第１レンズ群Ｇ１は、無限遠物体から近距離物体へのフォーカシングに際して像面に対する位置が固定である。
【０１２４】
第１レンズ群前群Ｇ１Ａは、物体側に凸面を向けた正メニスカスレンズ及び物体側に凸面を向けた負メニスカスレンズから構成され、全体として負の屈折力を持つ。
【０１２５】
第１レンズ群後群Ｇ１Ｂは、物体側に凹面を向けた正メニスカスレンズと両凹レンズから成る負の屈折力を持つ接合レンズ、及び両凸レンズから構成される。
【０１２６】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、互いに独立して物体側へ移動する。
【０１２７】
第２レンズ群前群Ｇ２Ａは、両凸レンズと物体側に凹面を向けた正メニスカスレンズと両凹レンズとから成る正の屈折力を持つ３枚接合レンズで構成される。
【０１２８】
開口絞りＳは、第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【０１２９】
第２レンズ群後群Ｇ２Ｂは、両凹レンズと両凸レンズから成る負の屈折力を持つ接合レンズ、両凹レンズと両凸レンズから成る正の屈折力を持つ接合レンズ、及び物体側像面側両面に非球面を形成した両凸レンズから構成され、全体として正の屈折力を持つ。
【０１３０】
続いて、以下に実施例７に係る光学系の諸元値を示す。
数値実施例7
単位：mm
[面データ]
面番号             r            d           nd           vd
物面               ∞         (d0)
1           61.5553       9.1056      2.00100        29.13
2          416.8509       1.2069
3         2077.2771       2.0000      1.64769        33.84
4           26.5881      14.7728
5          -66.4944      10.0841      1.49700        81.61
6          -26.1053       1.5000      1.60342        38.01
7          266.0512       1.5163
8           80.2575       9.4664      1.80420        46.50
9          -65.4401         (d9)
10           54.7291       6.3242      2.00100        29.13
11         -190.2656       4.9430      1.59282        68.62
12          -43.4725       1.0517      1.64769        33.84
13           50.6721        (d13)
14(絞り)             ∞       4.4632
15          -46.6787       1.0000      1.67270        32.17
16          114.7391       4.7250      1.43700        95.10
17          -56.3927       1.0346
18          -41.7538       1.0000      1.58144        40.89
19           37.9020       6.7490      1.72916        54.67
20          -75.5083       0.1500
21*        1000.0000       6.5783      1.77250        49.47
22*         -46.9507         (BF)
像面               ∞
[非球面データ]
21面           22面
K            0.00000           0.00000
A4       -1.59572E-06       3.90584E-06
A6       -4.50908E-09      -5.65822E-09
A8        3.83392E-11       3.86862E-11
A10       0.00000E+00       7.01344E-15
[各種データ]
INF         400mm
焦点距離          48.50        47.20
Fナンバー          1.46         1.67
全画角2ω         47.67        44.48
像高Y           21.63        21.63
レンズ全長        142.00       142.00
[可変間隔データ]
INF         400mm
d0                ∞     258.0000
d9            9.8338       1.2000
d13           5.6952       5.9008
BF           38.7998      47.2280
[レンズ群データ]
群          始面          焦点距離
G1            1            223.63
G1A           1           -135.14
G1B           5             97.97
G2A           9            123.14
G2B          14             78.83
【実施例８】
【０１３１】
図３６は、本発明の実施例８の光学系の無限遠合焦時におけるレンズ構成図である。
【０１３２】
図３６の光学系は、物体側から像面側の順に、全体として負の屈折力を持つ第１レンズ群Ｇ１と、全体として正の屈折力を持つ第２レンズ群Ｇ２とから構成される。
【０１３３】
第１レンズ群Ｇ１は、第１レンズ群前群Ｇ１Ａと第１レンズ群後群Ｇ１Ｂとから成る。また、第１レンズ群Ｇ１は、無限遠物体から近距離物体へのフォーカシングに際して像面に対する位置が固定である。
【０１３４】
第１レンズ群前群Ｇ１Ａは、物体側に凸面を向けた正メニスカスレンズ及び物体側に凸面を向けた負メニスカスレンズから構成され、全体として負の屈折力を持つ。
【０１３５】
第１レンズ群後群Ｇ１Ｂは、物体側に凹面を向けた正メニスカスレンズと両凹レンズと両凸レンズとから成る正の屈折力を持つ３枚接合レンズで構成される。また、第１レンズ群後群Ｇ１Ｂの像面側にフレアカット絞りを設ける。
【０１３６】
第２レンズ群Ｇ２は、第２レンズ群前群Ｇ２Ａと第２レンズ群後群Ｇ２Ｂとから成り、
全体として正の屈折力を持つ。また、第２レンズ群前群Ｇ２Ａと第２レンズ群後群Ｇ２Ｂは、無限遠物体から近距離物体へのフォーカシングに際して、互いに独立して物体側絵移動する。
【０１３７】
第２レンズ群前群Ｇ２Ａは、物体側に凸面を向けた正メニスカスレンズ、及び両凸レンズと両凹レンズから成る負の屈折力を持つ接合レンズで構成され、全体として正の屈折力を持つ。
【０１３８】
開口絞りＳは、第２レンズ群前群Ｇ２Ａと第２レンズ群後群Ｇ２Ｂとの間に配置され、無限遠物体から近距離物体へのフォーカシングに際して、第２レンズ郡後群Ｇ２Ｂと同じ軌跡で物体側へ移動する。
【０１３９】
第２レンズ群後群Ｇ２Ｂは、両凹レンズと両凸レンズから成る負の屈折力を持つ接合レンズ、両凸レンズと像面側に凸面を向けた負メニスカスレンズから成る正の屈折力を持つ接合レンズ、及び物体側像面側両面に非球面を形成した両凸レンズから構成され、全体として正の屈折力を持つ。
【０１４０】
続いて、以下に実施例８に係る光学系の諸元値を示す。
数値実施例8
単位：mm
[面データ]
面番号                 r            d           nd           vd
物面                   ∞         (d0)
1               68.6980       5.5111      1.95375        32.32
2              140.4190       0.4000
3               90.0805       2.0000      1.59551        39.22
4               28.0310      17.4906
5              -57.6273      11.4150      1.59282        68.62
6              -24.7074       1.4000      1.62588        35.74
7               43.6599      10.7365      1.88300        40.81
8              -95.6712       0.0000
9(フレアカット絞り)        ∞         (d9)
10               57.2684       4.4674      1.92286        20.88
11               247.3667       0.1500
12                39.3575       7.5133      1.72916        54.67
13              -842.9948       0.9500      1.64769        33.84
14                27.3663        (d14)
15(絞り)                  ∞       5.3318
16               -32.3508       0.9000      1.64769        33.84
17                41.2236       5.0135      1.59282        68.62
18              -469.6114       0.1500
19               186.8195       6.9513      1.59282        68.62
20               -27.7493       0.9000      1.58144        40.89
21              -106.1094       0.1500
22*              338.5122       5.3034      1.77250        49.47
23*              -44.4036         (BF)
像面                    ∞
[非球面データ]
22面         23面
K            0.00000         0.00000
A4       -2.02470E-06     2.15920E-06
A6        7.06100E-12    -9.75660E-10
A8       -4.96280E-13     1.51180E-12
A10       2.34710E-15     0.00000E+00
[各種データ]
INF         400mm
焦点距離          47.17        46.51
Fナンバー          1.46         1.69
全画角2ω         49.24        45.33
像高Y           21.63        21.63
レンズ全長        142.00       142.00
[可変間隔データ]
INF         400mm
d0                ∞     258.0000
d9            8.2225       1.2000
d14           8.2436       6.6132
BF           38.8001      47.4530
[レンズ群データ]
群          始面         焦点距離
G1            1         -12811.28
G1A           1           -158.83
G1B           5            202.30
G2A          10             89.30
G2B          15             73.81
【０１４１】
また、これらの各実施例における条件式の対応値の一覧を示す。
[条件式対応値]
条件式／実施例          1      2      3      4
(1)  1.50＜|R1br／R1ar|＜6.0    3.28   3.07   2.64   2.87
(2)     0.35＜T／f＜0.55        0.46   0.49   0.49   0.40
(3)   0.50＜|f／R1bf|＜1.50     0.73   0.80   0.83   0.59
(4)        1.80＜nd2p           1.92   1.92   2.00   1.95
(5)  0.50＜|R2bf／R2ar|＜1.5    1.01   0.99   0.88   0.89
(6)   0.20＜|f／f1a|＜0.50      0.32   0.32   0.28   0.32
(7)    0.20＜f／f1b＜0.60       0.43   0.31   0.37   0.43
(8)    0.20＜f／f2a＜0.60       0.29   0.44   0.29   0.26
(9)    0.50＜f／f2b＜1.00       0.76   0.66   0.72   0.73
条件式／実施例          5      6      7      8
(1)  1.50＜|R1br／R1ar|＜6.0    2.89   5.23   2.46   3.41
(2)     0.35＜T／f＜0.55        0.41   0.42   0.47   0.50
(3)   0.50＜|f／R1bf|＜1.50     0.58   1.19   0.73   0.82
(4)        1.80＜nd2p           2.00   2.00   2.00   1.92
(5)  0.50＜|R2bf／R2ar|＜1.5    0.97   0.83   0.92   1.18
(6)   0.20＜|f／f1a|＜0.50      0.32   0.28   0.36   0.30
(7)    0.20＜f／f1b＜0.60       0.44   0.46   0.50   0.23
(8)    0.20＜f／f2a＜0.60       0.27   0.31   0.39   0.53
(9)    0.50＜f／f2b＜1.00       0.72   0.66   0.62   0.64
【符号の説明】
【０１４２】
Ｇ１      第１レンズ群
Ｇ２      第２レンズ群
Ｇ１Ａ    第１レンズ群前群
Ｇ１Ｂ    第１レンズ群後群
Ｇ２Ａ    第２レンズ群前群
Ｇ２Ｂ    第２レンズ群後群
Ｓ        開口絞り
Ｉ        像面
ｄ        ｄ線
Ｃ        Ｃ線
ｇ        ｇ線
Ｆ        Ｆナンバー
△Ｓ      サジタル像面
△Ｍ      メリジオナル像面
【図１】
2015114366.tif 000004
【図２】
2015114366.tif 000005
【図３】
2015114366.tif 000006
【図４】
2015114366.tif 000007
【図５】
2015114366.tif 000008
【図６】
2015114366.tif 000009
【図７】
2015114366.tif 000010
【図８】
2015114366.tif 000011
【図９】
2015114366.tif 000012
【図１０】
2015114366.tif 000013
【図１１】
2015114366.tif 000014
【図１２】
2015114366.tif 000015
【図１３】
2015114366.tif 000016
【図１４】
2015114366.tif 000017
【図１５】
2015114366.tif 000018
【図１６】
2015114366.tif 000019
【図１７】
2015114366.tif 000020
【図１８】
2015114366.tif 000021
【図１９】
2015114366.tif 000022
【図２０】
2015114366.tif 000023
【図２１】
2015114366.tif 000024
【図２２】
2015114366.tif 000025
【図２３】
2015114366.tif 000026
【図２４】
2015114366.tif 000027
【図２５】
2015114366.tif 000028
【図２６】
2015114366.tif 000029
【図２７】
2015114366.tif 000030
【図２８】
2015114366.tif 000031
【図２９】
2015114366.tif 000032
【図３０】
2015114366.tif 000033
【図３１】
2015114366.tif 000034
【図３２】
2015114366.tif 000035
【図３３】
2015114366.tif 000036
【図３４】
2015114366.tif 000037
【図３５】
2015114366.tif 000038
【図３６】
2015114366.tif 000039
【図３７】
2015114366.tif 000040
【図３８】
2015114366.tif 000041
【図３９】
2015114366.tif 000042
【図４０】
2015114366.tif 000043